(57)【要約】【課題】パチンコ機やパチスロ機等の遊技機に関し、第１制御手段と第２制御手段との間に通信中継手段を設け、第２制御手段と通信中継手段との間で双方向通信を行うことで、情報の総合的な管理を可能とし、もって情報伝達又は処理結果の整合性や信頼性を向上することができるようにしたものである。【解決手段】遊技機１０の第１制御手段（主制御手段１００）と第２制御手段（副制御手段２００）との通信における間には、第１制御手段１００から送信した情報を中継する通信中継手段３００を有する。通信中継手段３００には、第１制御手段１００から送られる情報を第２制御手段２００に送信可能で、且つ第２制御手段２００から送られる応答情報を受信可能な双方向制御手段３１０、第１制御手段１００から送られる情報、及び第２制御手段２００から送られる応答情報の少なくともいずれかを記憶可能な情報記憶手段３２０を備える。【選択図】    図１
2004344424.tif 000002
【特許請求の範囲】
【請求項１】
遊技の進行を制御する第１制御手段と、
前記第１制御手段にて生成した情報が送られてくることにもとづいて制御を行う第２制御手段とを備え、
前記第１制御手段と第２制御手段との通信における間には、
前記第１制御手段から送信した情報を中継する通信中継手段を有し、
前記通信中継手段には、
前記第１制御手段から送られる情報を前記第２制御手段に送信可能で、且つ前記第２制御手段から送られる応答情報を受信可能な双方向制御手段と、
前記第１制御手段から送られる情報、及び前記第２制御手段から送られる応答情報の少なくともいずれかを記憶可能な情報記憶手段と、
を備えていることを特徴とする遊技機。
【請求項２】
請求項１に記載の遊技機であって、
前記通信中継手段には、
前記第１制御手段から送られる情報にもとづいて複数設けられた第２制御手段により並列して行う制御の場合に、前記複数の第２制御手段への送信の同期をとる同期手段を備えていることを特徴とする遊技機。
【請求項３】
請求項１又は請求項２に記載の遊技機であって、
前記通信中継手段には、
前記第２制御手段から送られる応答情報の記憶にもとづいて、前記第２制御手段にて行われた制御の誤動作を発見する監視手段と、
前記監視手段において誤動作を発見した場合には、当該誤動作が発生したことを報知制御する誤動作報知手段を備えていることを特徴とする遊技機。
【請求項４】
請求項１〜３のいずれか１項に記載の遊技機であって、
前記遊技機には、
電断時において、前記情報記憶手段の記憶情報をバックアップするバックアップ手段を設け、
前記通信中継手段には、
電断復帰時の制御状態において、前記バックアップ手段による記憶情報にもとづいて電断前の制御状態と同等か否かを点検する点検手段を備えていることを特徴とする遊技機。
【請求項５】
請求項１〜４のいずれか１項に記載の遊技機であって、
前記通信中継手段には、
前記バックアップ手段による記憶情報にもとづいて、電断前に行われた制御状態への復帰を行う復帰手段を備えていることを特徴とする遊技機。
【請求項６】
請求項３〜５のいずれか１項に記載の遊技機であって、
前記監視手段には、
前記第１制御手段から電断復帰後に送られる電断前の制御状態に係る情報と、前記情報記憶手段の電断前の制御状態に係る記憶情報とを比較することで、エラーの発生を検知するエラー検知手段を備えていることを特徴とする遊技機。
【請求項７】
請求項３又は請求項６に記載の遊技機であって、
前記監視手段には、
前記誤動作の発見又はエラーを検知した場合に、少なくとも前記第２制御手段の動作の停止を行う動作停止手段を備えていることを特徴とする遊技機。
【請求項８】
遊技の進行を制御する第１制御手段と、
前記第１制御手段にて生成した情報が送られてくることにもとづいて制御を行う第２制御手段とを備え、
前記第１制御手段と第２制御手段との通信における間には、
前記第１制御手段から送信した情報を中継する通信中継手段を有する遊技機を前提とし、
前記遊技機のコンピュータである前記通信中継手段を、
前記第１制御手段から送られる情報を前記第２制御手段に送信可能で、且つ前記第２制御手段から送られる応答情報を受信可能な双方向制御手段と、
前記第１制御手段から送られる情報、及び前記第２制御手段から送られる応答情報の少なくともいずれかを記憶可能な情報記憶手段と、
して機能するための遊技機用プログラム。
【請求項９】
遊技の進行を制御する第１制御手段と、
前記第１制御手段にて生成した情報が送られてくることにもとづいて制御を行う第２制御手段とを備え、
前記第１制御手段と第２制御手段との通信における間には、
前記第１制御手段から送信した情報を中継する通信中継手段を有する遊技機を前提とし、
前記遊技機のコンピュータである前記通信中継手段を、
前記第１制御手段から送られる情報を前記第２制御手段に送信可能で、且つ前記第２制御手段から送られる応答情報を受信可能な双方向制御手段と、
前記第１制御手段から送られる情報、及び前記第２制御手段から送られる応答情報の少なくともいずれかを記憶可能な情報記憶手段と、
して機能するためのプログラムを記録した遊技機内のコンピュータが読み取り可能な記録媒体。
【発明の詳細な説明】
【０００１】
【発明の属する技術分野】
この発明は、パチンコ機やパチスロ機等の遊技機に関し、第１制御手段と第２制御手段との間に通信中継手段を設け、第２制御手段と通信中継手段との間で双方向通信を行うことで、情報の総合的な管理を可能とし、もって情報伝達又は処理結果の整合性や信頼性を向上することができるようにしたものである。
【０００２】
【従来の技術】
従来、第１制御手段からのコマンドやデータ等の情報を、払出・液晶・音声・ランプ等を制御する第２制御手段に一方向で通信していた。
【０００３】
【発明が解決しようとする課題】
しかし、上記した従来の一方向通信では、各種の情報の管理が個別になり、情報伝達又は処理結果の整合性や信頼性を担保することが困難であるという問題点があった。
そこで、各請求項にそれぞれ記載された各発明は、上記した従来の技術の有する問題点に鑑みてなされたものであり、その目的とするところは、次の点にある。
（請求項１）
請求項１に記載の発明は、遊技機に関し、次の点を目的とする。
【０００４】
すなわち、請求項１に記載の発明は、第１制御手段と第２制御手段との間に通信中継手段を設け、第２制御手段と通信中継手段との間で双方向通信を行うことで、情報の総合的な管理を可能とし、もって情報伝達又は処理結果の整合性や信頼性を向上することができるようにしたものである。
このため、請求項１に記載の発明によれば、第１制御手段又は第２制御手段にて行う制御の負担を軽減することが可能である。
【０００５】
また、請求項１に記載の発明によれば、通信中継手段を、遊技機の機種交換時における遊技盤面の交換時又は分解時において、交換機種との汎用性を持った手段として構成することができ、再利用・コストダウンが可能である。
さらに、請求項１に記載の発明によれば、第１制御手段と通信中継手段との間の配線距離、及び第２制御手段と通信中継手段との間の配線距離を適正に設定することが可能である。
【０００６】
すなわち、第２制御手段と通信中継手段との間の配線距離に比較して、第１制御手段と通信中継手段との間の配線距離を短く設定することで、第１制御手段と通信中継手段との間の電気的な障害となるノイズや誤動作の抑制を図ることができる。これに対し、第１制御手段と通信中継手段との間の配線距離に比較して、第２制御手段と通信中継手段との間の配線距離が長くなるが、通信中継手段による第２制御手段の双方向制御により、ノイズ・チェック等が可能なので、第２制御手段と通信中継手段との間の通信の信頼性を担保することができる。
【０００７】
請求項１に記載の発明によれば、上記したようにして例えば遊技媒体の流動によって生ずる静電気などのノイズによる弊害を防止又は抑制することができるので、第２制御手段の配置の自由度を向上することができる。
（請求項２）
請求項２に記載の発明は、遊技機に関し、上記した請求項１に記載の発明の目的に加え、次の点を目的とする。
【０００８】
すなわち、請求項２に記載の発明は、複数設けられた第２制御手段により行われる制御の時間的な処理速度の同期を図ることができるようにしたものである。これに加えて、請求項２に記載の発明によれば、情報内容の整合性をとる同期をも図ることができるようにしたものである。
（請求項３）
請求項３に記載の発明は、遊技機に関し、上記した請求項１又は請求項２に記載の発明の目的に加え、次の点を目的とする。
【０００９】
すなわち、請求項３に記載の発明は、例えば通信中継手段から第２制御手段に送信する情報を記憶し、第２制御手段から通信中継手段に送信されてくる応答情報を記憶して比較等することで、第２制御手段で行った制御に係る情報から誤動作となっていることを発見して、その結果を報知することができるようにしたものである。
（請求項４）
請求項４に記載の発明は、遊技機に関し、上記した請求項１〜３のいずれか１項に記載の発明の目的に加え、次の点を目的とする。
【００１０】
すなわち、請求項４に記載の発明は、電断復帰時に第１制御手段や第２制御手段の電断前からの制御状態を継続するにあたって問題がないか否かを点検することができるようにしたものである。
（請求項５）
請求項５に記載の発明は、遊技機に関し、上記した請求項１〜４のいずれか１項に記載の発明の目的に加え、次の点を目的とする。
【００１１】
すなわち、請求項５に記載の発明は、第１制御手段又は第２制御手段を電断前の制御状態から継続して処理できるように復帰するために、電断前の記憶情報の参照をできるようにしたものである。
（請求項６）
請求項６に記載の発明は、遊技機に関し、上記した請求項３〜５のいずれか１項に記載の発明の目的に加え、次の点を目的とする。
【００１２】
すなわち、請求項６に記載の発明は、不正行為若しくは制御処理におけるミス等によるエラーの発生を検知することができるようにしたものである。
（請求項７）
請求項７に記載の発明は、遊技機に関し、上記した請求項３又は請求項６に記載の発明の目的に加え、次の点を目的とする。
【００１３】
すなわち、請求項７に記載の発明は、不正行為若しくは制御処理におけるミス等による誤動作の発見又はエラーの発生を検知した場合に、少なくとも第２制御手段への第１制御情報からの情報の送信を中止して動作の停止を行うことができるようにしたものである。
このため、誤動作又はエラーによって生じる不良処理の被害を未然に防止することができる。
【００１４】
なお、第２制御手段の動作の停止にもとづいて第１制御手段の動作が停止されることも、請求項７に記載の発明に含まれるものである。
（請求項８）
請求項８に記載の発明は、プログラムに関し、次の点を目的とする。
すなわち、請求項８に記載の発明は、第１制御手段と第２制御手段との間に通信中継手段を設け、第２制御手段と通信中継手段との間で双方向通信を行うことで、情報の総合的な管理を可能とし、もって情報伝達又は処理結果の整合性や信頼性を向上することができる機能を有するプログラムにしたものである。
（請求項９）
請求項９に記載の発明は、記録媒体に関し、次の点を目的とする。
【００１５】
すなわち、請求項９に記載の発明は、第１制御手段と第２制御手段との間に通信中継手段を設け、第２制御手段と通信中継手段との間で双方向通信を行うことで、情報の総合的な管理を可能とし、もって情報伝達又は処理結果の整合性や信頼性を向上することができる機能を有するプログラムをコンピュータが読み取り可能な記録媒体に記録したものである。
【００１６】
【課題を解決するための手段】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
【００１７】
また、図面番号も、発明の実施の形態において用いた図番を示し、本発明の技術的範囲を限定するものではない。
（請求項１）
請求項１に記載の発明は、遊技機に関し、次の点を特徴とする。
第一に、遊技機（１０）には、例えば図１に示すように、次の構成を備える。
【００１８】
（１）第１制御手段（例えば主制御手段１００）
第１制御手段（例えば主制御手段１００）は、遊技の進行を制御する装置である。
（２）第２制御手段（例えば副制御手段２００）
第２制御手段（例えば副制御手段２００）は、第１制御手段（例えば主制御手段１００）にて生成した情報が送られてくることにもとづいて制御する装置である。
【００１９】
第二に、第１制御手段（例えば主制御手段１００）と第２制御手段（例えば副制御手段２００）との通信における間には、例えば図１に示すように、次の構成を有する。
（３）通信中継手段（３００）
通信中継手段（３００）は、第１制御手段（例えば主制御手段１００）から送信した情報を中継する装置である。
【００２０】
第三に、通信中継手段（３００）には、例えば図２に示すように、次の構成を備える。
（４）双方向制御手段（３１０）
双方向制御手段（３１０）は、第１制御手段（例えば主制御手段１００）から送られる情報を第２制御手段（例えば副制御手段２００）に送信可能で、且つ第２制御手段（例えば副制御手段２００）から送られる応答情報を受信可能な装置である。
【００２１】
（５）情報記憶手段（３２０）
情報記憶手段（３２０）は、第１制御手段（例えば主制御手段１００）から送られる情報、及び第２制御手段（例えば副制御手段２００）から送られる応答情報の少なくともいずれかを記憶可能な装置である。
（請求項２）
請求項２に記載の発明は、遊技機に関し、上記した請求項１に記載の発明の特徴点に加え、次の点を特徴とする。
【００２２】
すなわち、通信中継手段（３００）には、例えば図２に示すように、次の構成を備える。
（１）同期手段（３３０）
同期手段（３３０）は、第１制御手段（例えば主制御手段１００）から送られる情報にもとづいて複数設けられた第２制御手段（例えば複数の制御手段にて構成された副制御手段２００）により並列して行う制御の場合に、第２制御手段（例えば副制御手段２００にて構成された複数の制御手段）への送信の同期をとる装置である。（請求項３）
請求項３に記載の発明は、遊技機に関し、上記した請求項１又は請求項２に記載の発明の特徴点に加え、次の点を特徴とする。
【００２３】
すなわち、通信中継手段（３００）には、例えば図２に示すように、次の構成を備える。
（１）監視手段（３４０）
監視手段（３４０）は、第２制御手段（例えば副制御手段２００）から送られる応答情報の記憶にもとづいて、第２制御手段（例えば副制御手段２００）にて行われた制御の誤動作を発見する装置である。
【００２４】
（２）誤動作報知手段（３５０）
誤動作報知手段（３５０）は、監視手段（３４０）において誤動作を発見した場合には、当該誤動作が発生したことを報知制御する装置である。
（請求項４）
請求項４に記載の発明は、遊技機に関し、上記した請求項１〜３のいずれか１項に記載の発明の特徴点に加え、次の点を特徴とする。
【００２５】
第一には、遊技機（１０）には、例えば図１に示すように、次の構成を備える。
（１）バックアップ手段（４００）
バックアップ手段（４００）は、電断時において、情報記憶手段（３２０）の記憶情報をバックアップする装置である。
第二には、通信中継手段（３００）には、例えば図２に示すように、次の構成を備える。
【００２６】
（２）点検手段（３６０）
点検手段（３６０）は、電断復帰時の制御状態において、バックアップ手段（４００）による記憶情報にもとづいて電断前の制御状態と同等か否かを点検する装置である。
（請求項５）
請求項５に記載の発明は、遊技機に関し、上記した請求項１〜４のいずれか１項に記載の発明の特徴点に加え、次の点を特徴とする。
【００２７】
すなわち、通信中継手段（３００）には、例えば図２に示すように、次の構成を備える。
（１）復帰手段（３７０）
復帰手段（３７０）は、バックアップ手段（４００）による記憶情報にもとづいて、電断前に行われた制御状態への復帰を行う装置である。
（請求項６）
請求項６に記載の発明は、遊技機に関し、上記した請求項３〜５のいずれか１項に記載の発明の特徴点に加え、次の点を特徴とする。
【００２８】
すなわち、監視手段（３４０）には、例えば図２に示すように、次の構成を備える。
（１）エラー検知手段（３４１）
エラー検知手段（３４１）は、第１制御手段（例えば主制御手段１００）から電断復帰後に送られる電断前の制御状態に係る情報と、情報記憶手段（３２０）の電断前の制御状態に係る記憶情報とを比較することで、エラーの発生を検知する装置である。
（請求項７）
請求項７に記載の発明は、遊技機に関し、上記した請求項３又は請求項６に記載の発明の特徴点に加え、次の点を特徴とする。
【００２９】
すなわち、監視手段（３４０）には、例えば図２に示すように、次の構成を備える。
（１）動作停止手段（３４２）
動作停止手段（３４２）は、誤動作の発見又はエラーを検知した場合に、第２制御手段（例えば副制御手段２００）の動作の停止を行う装置である。
（請求項８）
請求項８に記載の発明は、プログラムに関し、次の点を特徴とする。
【００３０】
第一に、例えば図１に示すように、次の構成を備える遊技機（１０）を前提とする。
（１）第１制御手段（例えば主制御手段１００）
第１制御手段（例えば主制御手段１００）は、遊技の進行を制御する装置である。
【００３１】
（２）第２制御手段（例えば副制御手段２００）
第２制御手段（例えば副制御手段２００）は、第１制御手段（例えば主制御手段１００）にて生成した情報が送られてくることにもとづいて制御する装置である。第二に、例えば図１に示すように、次の構成を有する遊技機（１０）を前提とする。
【００３２】
（３）通信中継手段（３００）
通信中継手段（３００）は、第１制御手段（例えば主制御手段１００）と第２制御手段（例えば副制御手段２００）との通信における間に位置し、第１制御手段（例えば主制御手段１００）から送信した情報を中継する装置である。
第三に、遊技機（１０）用のコンピュータである通信中継手段（３００）を、例えば図２に示すように、次の手段として機能するための遊技機用プログラムである。
【００３３】
（４）双方向制御手段（３１０）
双方向制御手段（３１０）は、第１制御手段（例えば主制御手段１００）から送られる情報を第２制御手段（例えば副制御手段２００）に送信可能で、且つ第２制御手段（例えば副制御手段２００）から送られる応答情報を受信可能な装置である。
（５）情報記憶手段（３２０）
情報記憶手段（３２０）は、第１制御手段（例えば主制御手段１００）から送られる情報、及び第２制御手段（例えば副制御手段２００）から送られる応答情報の少なくともいずれかを記憶可能な装置である。
（請求項９）
請求項９に記載の発明は、記録媒体に関し、次の点を特徴とする。
【００３４】
第一に、例えば図１に示すように、次の構成を備える遊技機（１０）を前提とする。
（１）第１制御手段（例えば主制御手段１００）
第１制御手段（例えば主制御手段１００）は、遊技の進行を制御する装置である。
【００３５】
（２）第２制御手段（例えば副制御手段２００）
第２制御手段（例えば副制御手段２００）は、第１制御手段（例えば主制御手段１００）にて生成した情報が送られてくることにもとづいて制御する装置である。第二に、例えば図１に示すように、次の構成を有する遊技機（１０）を前提とする。
【００３６】
（３）通信中継手段（３００）
通信中継手段（３００）は、第１制御手段（例えば主制御手段１００）と第２制御手段（例えば副制御手段２００）との通信における間に位置し、第１制御手段（例えば主制御手段１００）から送信した情報を中継する装置である。
第三に、遊技機（１０）用のコンピュータである通信中継手段（３００）を、例えば図２に示すように、次の手段として機能するためのプログラムを記録したコンピュータが読み取り可能な記録媒体である。
【００３７】
（４）双方向制御手段（３１０）
双方向制御手段（３１０）は、第１制御手段（例えば主制御手段１００）から送られる情報を第２制御手段（例えば副制御手段２００）に送信可能で、且つ第２制御手段（例えば副制御手段２００）から送られる応答情報を受信可能な装置である。
（５）情報記憶手段（３２０）
情報記憶手段（３２０）は、第１制御手段（例えば主制御手段１００）から送られる情報、及び第２制御手段（例えば副制御手段２００）から送られる応答情報の少なくともいずれかを記憶可能な装置である。
【００３８】
【発明の実施の形態】
（図面の説明）
図１〜２は、本発明の第１の実施の形態の一例をそれぞれ示すものである。
図１は、遊技機の概略ブロック図、図２は図１の通信中継手段の詳細を説明するためのブロック図をそれぞれ示すものである。
【００３９】
図３は、本発明の第２の実施の形態の一例を示し、同図は遊技機の概略ブロック図を示すものである。
図４は、本発明の第３の実施の形態の一例を示し、同図は遊技機の概略ブロック図を示すものである。
（遊技機１０）
図中、１０は、遊技機を示すものであり、例えばパチンコ機（弾球遊技機）を例に挙げて説明する。
【００４０】
なお、以下、第１制御手段を主制御手段とし、第２制御手段を副制御手段として例示する。
また、遊技機１０は、パチンコ機に限定されず、いわゆるパチスロ機（回胴式遊技機）でも良い。
遊技機１０には、図１に示すように、大別すると、次の手段を備える。
【００４１】
（１）第１制御手段として例示する主制御手段１００
（２）第２制御手段として例示する副制御手段２００
（３）通信中継手段３００
なお、遊技機１０の手段は、上記した（１）〜（３）に限定されない。
（主制御手段１００）
主制御手段１００は、遊技媒体（遊技球）の供給にもとづいて行う遊技の進行を制御する装置である。
【００４２】
具体的には、主制御手段１００は、コンピュータであって、図示しないが、例えばＣＰＵを中心に構成され、ＲＯＭやＲＡＭ等の記録媒体、Ｉ／Ｏ等を備えている。
なお、主制御手段１００のＣＰＵの数は、１個に限定されず、２個以上のＣＰＵを用いても良い。
【００４３】
また、記録媒体は、ＲＯＭやＲＡＭに限定されず、そのほか電気的・磁気的・光学的なメモリーやディスク等でも良い。
（主制御手段１００の入力段）
主制御手段１００の入力段には、図１に示すように、次の手段が接続されている。
【００４４】
なお、主制御手段１００の入力段に接続されている手段は、上記した（１）に限定されない。
（１）入賞球検知手段２０
入賞球検知手段２０は、図示しないが、公知となるパチンコ機の遊技盤に設けられる遊技球を流下させるための遊技領域に配置された各種の入賞口（開口部）に入賞した遊技球を検知して検知情報を主制御手段１００へと送信する装置である。
（主制御手段１００の出力段）
主制御手段１００の出力段には、図１に示すように、次の手段がそれぞれ接続されている。
【００４５】
なお、主制御手段１００の出力段に接続されている手段は、次の（１）〜（３）に限定されない。
（１）特定入賞口の駆動源３０
特定入賞口は、図示しないが、例えば入賞口近傍に一対の可動片（以下、「可動物」ともいう。）を備えさせる電動チューリップ等から構成する。
【００４６】
駆動源３０は、図示しないが、特定入賞口における開口部を拡縮するために可動物を移動するものである。
なお、本実施の形態において、可動物の移動は、開口部の拡縮に拘らない。
（２）特別入賞口の駆動源４０
特別入賞口は、図示しないが、例えば入賞口を閉鎖させる可動扉（以下、「可動物」ともいう。）を備えさせるアタッカー等から構成する。
【００４７】
駆動源４０は、図示しないが、特定入賞口における開口部を開閉するために可動物を移動するものである。
なお、本実施の形態において、可動物の移動は、開口部の開閉に拘らない。
（３）通信中継手段３００
通信中継手段３００は、例えば入賞球検知手段２０からの検知情報にもとづいて主制御手段１００にて生成した情報を副制御手段２００にて制御させるべく送信した際に、該情報を中継する装置である。
【００４８】
なお、副制御手段２００にて制御させるべく送信する情報には、上記制御情報と関連性のある関連情報も含むものである。
（副制御手段２００）
副制御手段２００は、主制御手段１００にて生成した情報が送られてくることにもとづいて制御を行う装置である。
【００４９】
具体的には、副制御手段２００には、図１に示すように、大別すると、次の複数の制御手段にて構成されてなるものを含む。
（１）表示制御手段２１０
（２）遊技利益付与制御手段２２０
（３）音声制御手段２３０
（４）電飾制御手段２４０
なお、副制御手段２００の手段は、上記した（１）〜（４）の複数の所定制御手段に限定されない。
【００５０】
また、上記した（１）〜（４）は、本実施の形態において主制御手段１００から送られる情報にもとづいて互いにリンクし合う並列的な制御をし得るものとする。
（表示制御手段２１０）
表示制御手段２１０は、可変表示装置２１１を制御する装置である。
【００５１】
具体的には、表示制御手段２１０は、コンピュータであって、図示しないが、例えばＣＰＵを中心に構成され、ＲＯＭやＲＡＭ等の記録媒体、Ｉ／Ｏ等を備えている。
なお、表示制御手段２１０のＣＰＵの数は、１個に限定されず、２個以上のＣＰＵを用いても良い。
【００５２】
また、記録媒体は、ＲＯＭやＲＡＭに限定されず、そのほか電気的・磁気的・光学的なメモリーやディスク等でも良い。
可変表示装置２１１は、遊技盤面等に設けられた遊技領域にて表示している複数種類の図柄を所定入賞口への入賞等の遊技条件の達成にもとづいて可変表示した後、停止表示可能な装置である。そして、可変表示装置２１１は、特定の停止表示態様の場合に、遊技者にとって有利な遊技状態へ移行することを告知し得るものである。
【００５３】
具体的には、可変表示装置２１１は、パチンコ機を例にすると、液晶表示装置等から構成されている。
なお、可変表示装置２１１は、液晶表示装置に限定されず、例えばパチスロ機ではリールユニットから構成される。また、可変表示装置２１１は、液晶やリールユニットにも限定されず、ドットマトリックス、ブラウン管、７セグメント等を使用しても良い。
（遊技利益付与制御手段２２０）
遊技利益付与制御手段２２０は、遊技利益付与装置２２１を制御する装置である。
【００５４】
具体的には、遊技利益付与制御手段２２０は、コンピュータであって、図示しないが、例えばＣＰＵを中心に構成され、ＲＯＭやＲＡＭ等の記録媒体、Ｉ／Ｏ等を備えている。
なお、遊技利益付与制御手段２２０のＣＰＵの数は、１個に限定されず、２個以上のＣＰＵを用いても良い。
【００５５】
また、記録媒体は、ＲＯＭやＲＡＭに限定されず、そのほか電気的・磁気的・光学的なメモリーやディスク等でも良い。
遊技利益付与装置２２１は、所定入賞口への入賞等の遊技条件の達成にもとづいて得られる遊技結果に応じて、遊技者に遊技利益を付与する装置である。
具体的には、遊技利益付与装置２２１は、パチンコ機を例にすると、所定入賞口への入賞に応じた対価となる遊技球を所定数払い出す賞球払出装置等から構成されている。
【００５６】
なお、遊技利益付与装置２２１は、例えばパチスロ機では、メダルを払い出すホッパー装置から構成されている。また、遊技利益付与装置２２１は、賞球払出装置、ホッパー装置にも限定されず、遊技を行うために遊技媒体を貸出すための払出装置及びカード式記憶媒体読取り装置からなるカードユニット等を含めて構成しても良い。
（音声制御手段２３０）
音声制御手段２３０は、スピーカ２３１から各種の効果音を発生させるための装置であり、例えば可変表示装置２１１にて可変表示する図柄の動きに合わせて音声を生成するものである。
【００５７】
具体的には、音声制御手段２３０は、コンピュータであって、図示しないが、例えばＣＰＵを中心に構成され、ＲＯＭやＲＡＭ等の記録媒体、Ｉ／Ｏ等を備えている。
なお、音声制御手段２３０のＣＰＵの数は、１個に限定されず、２個以上のＣＰＵを用いても良い。
【００５８】
また、記録媒体は、ＲＯＭやＲＡＭに限定されず、そのほか電気的・磁気的・光学的なメモリーやディスク等でも良い。
（電飾制御手段２４０）
電飾制御手段２４０は、図示しないが、主に遊技機１０を操作する前面側の所定位置に配設する各種のＬＥＤやランプ等の電飾装置２４１を点灯・点滅等させるための装置であり、例えば可変表示装置２１１にて可変表示する図柄の動きに合わせて各種の効果的な発光を生成するものである。
【００５９】
具体的には、電飾制御手段２４０は、コンピュータであって、図示しないが、例えばＣＰＵを中心に構成され、ＲＯＭやＲＡＭ等の記録媒体、Ｉ／Ｏ等を備えている。
なお、電飾制御手段２４０のＣＰＵの数は、１個に限定されず、２個以上のＣＰＵを用いても良い。
【００６０】
また、記録媒体は、ＲＯＭやＲＡＭに限定されず、そのほか電気的・磁気的・光学的なメモリーやディスク等でも良い。
さらに、電飾装置２４１は、ＬＥＤやランプに限定されない。
（通信中継手段３００）
通信中継手段３００は、前述したように、主制御手段１００から副制御手段２００にて制御させるべく送信した情報を受信するものであり、本実施の形態では、通信中継手段３００は、遊技機の機種交換時における遊技盤面の交換時又は分解時において、交換機種との汎用性を持った手段として構成することで、再利用・コストダウンを図っている。
【００６１】
具体的には、通信中継手段３００は、コンピュータであって、図示しないが、例えばＣＰＵを中心に構成され、ＲＯＭやＲＡＭ等の記録媒体、Ｉ／Ｏ等を備えている。
なお、通信中継手段３００のＣＰＵの数は、１個に限定されず、２個以上のＣＰＵを用いても良い。
【００６２】
また、記録媒体は、ＲＯＭやＲＡＭに限定されず、そのほか電気的・磁気的・光学的なメモリーやディスク等でも良い。
上記ＣＰＵは、記録媒体、例えばＲＯＭに記録されたプログラムを読み込むことで、図２に示すように、大別すると、次の手段として機能する。
（１）双方向制御手段３１０
（２）情報記憶手段３２０
（３）同期手段３３０
（４）監視手段３４０
（５）誤動作報知手段３５０
（６）点検手段３６０
（７）復帰手段３７０
なお、通信中継手段３００の手段は、次の（１）〜（７）に限定されない。
（通信中継手段３００の入出力段）
通信中継手段３００の入出力段には、図１に示すように、次の手段をそれぞれ接続している。
【００６３】
（１）副制御手段２００の表示制御手段２１０、遊技利益付与制御手段２２０、音声制御手段２３０、電飾制御手段２４０
（２）バックアップ手段４００
なお、通信中継手段３００の入出力段に接続される手段は、上記した（１）〜（２）に限定されない。
（双方向制御手段３１０）
双方向制御手段３１０は、主制御手段１００からの受信した情報（主制御手段１００から副制御手段２００にて制御されるべく送信されてきた情報）を副制御手段２００に送信可能で、且つ副制御手段２００からの応答情報（副制御手段２００にて行う制御にもとづいて生成し、送信されてきた応答情報）を受信可能な装置である。
【００６４】
具体的には、主制御手段１００は、例えば所定遊技条件の達成などにもとづく遊技の進行に応じて、副制御手段２００にて制御されるべく生成したコマンドやデータ等から構成される情報を、通信中継手段３００に向かって発信する。
通信中継手段３００は、主制御手段１００から送信された情報を受信すると、当該情報を副制御手段２００（表示制御手段２１０、遊技利益付与制御手段２２０、音声制御手段２３０、電飾制御手段２４０の少なくとも何れか）に向かって送信する。
【００６５】
副制御手段２００（表示制御手段２１０、遊技利益付与制御手段２２０、音声制御手段２３０、電飾制御手段２４０）は、通信中継手段３００から送信された情報を受信すると、その情報に応じた制御処理を実行するとともに、適宜のタイミングで応答情報を通信中継手段３００に向かって返信する。
通信中継手段３００は、副制御手段２００（表示制御手段２１０、遊技利益付与制御手段２２０、音声制御手段２３０、電飾制御手段２４０）から返信された応答情報と、副制御手段２００へと送信した際の情報とにもとづいて、副制御手段２００（表示制御手段２１０、遊技利益付与制御手段２２０、音声制御手段２３０、電飾制御手段２４０）にて行われた制御の動作状態を検知することが可能となる。
（情報記憶手段３２０）
情報記憶手段３２０は、主制御手段１００からの受信した情報（主制御手段１００から上記と同様に送信されてきた情報）、及び副制御手段２００からの応答情報（副制御手段２００から上記と同様に送信されてきた応答情報）の少なくともいずれかを記憶可能な装置である。
【００６６】
本実施の形態では、後述する誤動作の発見又はエラーを検知するために主制御手段１００から送信された情報（例えば、可変表示させる図柄の変動時間など）と、副制御手段２００からの送信された応答情報（例えば、可変表示処理を行った際の時間など）との両方を、情報記憶手段３２０に記憶しているが、いずれか一方の情報だけを記憶しても良い（例えば、図柄の変動時間をカウント処理し、変動時間終了時のタイミングで応答情報を受信したか否か判断を行う場合など）。
（同期手段３３０）
同期手段３３０は、主制御手段１００からの受信した情報（主制御手段１００から上記と同様に送信されてきた情報）にもとづいて、複数の副制御手段２００、すなわち表示制御手段２１０、遊技利益付与制御手段２２０、音声制御手段２３０、電飾制御手段２４０の少なくともいずれか２以上の制御手段により並列して行う制御の同期をとる装置である。
【００６７】
上記同期は、複数の副制御手段２００にて行われる制御の時間的な処理速度の同期に限定されず、例えば可変表示される図柄の変動に合わせた発光又は音声制御をし得るようにする情報内容の整合性をとる同期をも含むものであるが、いずれか一方だけでも良い。
（監視手段３４０）
監視手段３４０は、副制御手段２００から双方向制御手段３１０を介して記憶した応答情報にもとづいて、副制御手段２００にて行われた処理結果となる制御の誤動作を発見する装置である。
【００６８】
具体的には、監視手段３４０は、情報記憶手段３２０に記憶する主制御手段１００からの受信情報（主制御手段１００から送信された情報）と、副制御手段２００からの応答情報（副制御手段２００から送信された応答情報）とを比較し、整合性がとれているか否かを判断することで、副制御手段２００にて行われた処理結果となる制御の誤動作を発見している。
【００６９】
また、監視手段３４０には、図２に示すように、次の手段を備える。
（１）エラー検知手段３４１
（２）動作停止手段３４２
なお、監視手段３４０の手段は、上記した（１）〜（２）に限定されない。
（誤動作報知手段３５０）
誤動作報知手段３５０は、監視手段３４０において誤動作を発見した場合には、当該誤動作が発生したことを告知出力をさせるべく報知制御する装置である。
【００７０】
具体的には、誤動作報知手段３５０は、可変表示装置２１１、スピーカ２３１、電飾装置２４１の少なくとも１個以上を用いて、誤動作が発生したことを告知出力をさせるべく報知制御している。
なお、誤動作の発生を報知する構成は、可変表示装置２１１、スピーカ２３１、電飾装置２４１に限定されず、他の構成を用いても良い。
（点検手段３６０）
点検手段３６０は、電断復帰時の制御状態において、バックアップ手段４００による記憶情報にもとづいて電断前の制御状態と同等か否かを点検する装置である。
【００７１】
具体的には、点検手段３６０は、情報記憶手段３２０に記憶する主制御手段１００からの受信情報（主制御手段１００から送信された制御処理途中の情報）、及び同様に情報記憶手段３２０に記憶する副制御手段２００からの応答情報（副制御手段２００から送信された制御処理途中の応答情報）と、電断復帰時に主制御手段１００から送信する継続制御に係る情報、及び副制御手段２００から送信する継続制御に係る応答情報とを比較し、整合性を判断することで、主制御手段１００及び副制御手段２００が電断前の制御状態と同等か否かを点検している。
（復帰手段３７０）
復帰手段（３７０）は、バックアップ手段（４００）による記憶情報にもとづいて、電断前に行われていた制御状態への復帰を行う装置である。
【００７２】
具体的には、復帰手段（３７０）は、電断直前に、情報記憶手段３２０に記憶する主制御手段１００からの受信情報（主制御手段１００から送信され、情報記憶手段３２０に記憶した制御処理途中の情報）、及び同様に情報記憶手段３２０に記憶する副制御手段２００からの応答情報（副制御手段２００から送信され、情報記憶手段３２０に記憶した制御処理途中の応答情報）にもとづいて、主制御手段１００及び副制御手段２００を電断前に行われていた制御状態への復帰させる。
【００７３】
なお、点検手段３６０により、電断前に行われていた制御状態と同等でないと判断された場合にも、復帰手段（３７０）を用いて主制御手段１００及び副制御手段２００を電断前に行われた制御状態への復帰させても良い。
（バックアップ手段４００）
バックアップ手段４００は、電断時において、情報記憶手段３２０の記憶情報が消去されないような保存状態としてバックアップする装置である。
【００７４】
具体的には、通信中継手段３００には、その通信中継手段３００の記憶状態を保持するために、バックアップ手段４００としてバックアップ電源を接続して記憶の保存状態の維持を図っている。
なお、バックアップ手段４００は、バックアップ電源に限定されない。
（エラー検知手段３４１）
エラー検知手段３４１は、電断後の主制御手段１００から送られる電断前の制御状態からの情報と、情報記憶手段３２０の電断前の制御状態に係る記憶情報とを比較することで、エラーの発生を検知する装置である。
【００７５】
具体的には、エラー検知手段３４１は、電断後、すなわち電断復帰後の主制御手段１００から送信する継続制御に係る情報と、電断直前に、主制御手段１００から送信され、情報記憶手段３２０に記憶された制御処理途中の情報とを比較し、両情報における整合性が相違している場合に、エラーが発生したものと判定している。
（動作停止手段３４２）
動作停止手段３４２は、監視手段３４０において誤動作を発見した場合、又はエラー検知手段３４１においてエラーが検知された場合に、少なくとも副制御手段２００の動作の停止を行う装置である。
（通信中継手段３００の動作）
遊技機１０は、上記した構成を備え、その通信中継手段３００の動作について、以下に簡単に説明する。
【００７６】
なお、「ａ１」の情報は、表示制御手段２１０を制御するためのコマンドや情報等である。同様に、「ｂ１」の情報は、遊技利益付与制御手段２２０を、「ｃ１」の情報は音声制御手段２３０を、「ｄ１」の情報は電飾制御手段２４０をそれぞれ制御する装置である。
なお、本実施の形態において、複数の副制御手段を制御するための共通コマンドや共通情報等となる「Ｅ１」の情報を、図３に示すように、表示制御手段２１０、遊技利益付与制御手段２２０、音声制御手段２３０、電飾制御手段２４０に対し送信する場合もあることとする。
【００７７】
通信中継手段３００にて備える双方向制御手段３１０は、図１又は図３に示すように、主制御手段１００から送られてくる「ａ１」又は「Ｅ１」の情報を受信すると、当該「ａ１」又は「Ｅ１」の情報を表示制御手段２１０に送信する。
このとき、通信中継手段３００にて備える情報記憶手段３２０は、主制御手段１００から送られてきて受信した「ａ１」又は「Ｅ１」の情報を記憶する。
【００７８】
なお、主制御手段１００から送られてくる「ａ１」又は「Ｅ１」の情報を、表示制御手段２１０にそのまま送信したが、これに限らず、主制御手段１００から送られてくる「ａ１」の情報を、通信中継手段３００において適宜の情報に生成し直して加工後、図４に示すように、当該加工した「ａ１’」の情報を表示制御手段２１０に送信しても良い。
【００７９】
また、このとき、「ａ１」又は「ａ１’」の情報を、表示制御手段２１０以外の手段にも、送信しても良い。仮に、「ａ１」又は「ａ１’」の情報を表示制御手段２１０以外の手段に送信した場合には、表示制御手段２１０以外の手段において、「ａ１」又は「ａ１’」の情報を無効若しくは参考情報として、必要に応じて応答情報を返信するか、或いはしないかを設定する。
【００８０】
これに対し、表示制御手段２１０は、通信中継手段３００にて記憶するとともに送信する「ａ１」又は「ａ１’」、又は「Ｅ１」の情報を受信すると、図１又は図３、又は図４に示すように、「ａ２」の応答情報を、通信中継手段３００に向かって返信する。
「ａ２」の応答情報は、通信中継手段３００にて受信されるとともに、情報記憶手段３２０に記憶される。
【００８１】
同様に、通信中継手段３００にて備える双方向制御手段３１０は、図１又は図３に示すように、主制御手段１００から送られてくる「ｂ１」又は「Ｅ１」の情報を受信すると、当該「ｂ１」又は「Ｅ１」の情報を遊技利益付与制御手段２２０に送信する。
このとき、通信中継手段３００にて備える情報記憶手段３２０は、主制御手段１００から送られてきて受信した「ｂ１」又は「Ｅ１」の情報を記憶する。
【００８２】
なお、主制御手段１００から送られてくる「ｂ１」の情報を、遊技利益付与制御手段２２０にそのまま送信したが、これに限らず、図４に示すように、通信中継手段３００において適宜の情報に生成し直して加工した「ｂ１’」の情報を遊技利益付与制御手段２２０に送信しても良い。
また、このとき、「ｂ１」又は「ｂ１’」の情報を、遊技利益付与制御手段２２０以外の手段にも、送信しても良い。
【００８３】
これに対し、遊技利益付与制御手段２２０は、通信中継手段３００にて記憶するとともに送信する「ｂ１」又は「ｂ１’」、又は「Ｅ１」の情報を受信すると、図１又は図３、又は図４に示すように、「ｂ２」の応答情報を、通信中継手段３００に向かって返信する。
「ｂ２」の応答情報は、通信中継手段３００にて受信されるとともに、情報記憶手段３２０に記憶される。
【００８４】
同様に、通信中継手段３００にて備える双方向制御手段３１０は、図１又は図３に示すように、主制御手段１００から送られてくる「ｃ１」又は「Ｅ１」の情報を受信すると、当該「ｃ１」又は「Ｅ１」の情報を音声制御手段２３０に送信する。
このとき、通信中継手段３００にて備える情報記憶手段３２０は、主制御手段１００から送られてきて受信した「ｃ１」又は「Ｅ１」の情報を記憶する。
【００８５】
なお、主制御手段１００から送られくる「ｃ１」の情報を、音声制御手段２３０にそのまま送信したが、これに限らず、図４に示すように、通信中継手段３００において適宜の情報に生成し直して加工した「ｃ１’」の情報を音声制御手段２３０に送信しても良い。
また、このとき、「ｃ１」又は「ｃ１’」の情報を、音声制御手段２３０以外の手段にも、送信しても良い。
【００８６】
これに対し、音声制御手段２３０は、通信中継手段３００にて記憶するとともに送信する「ｃ１」又は「ｃ１’」、又は「Ｅ１」の情報を受信すると、図１又は図３、又は図４に示すように、「ｃ２」の応答情報を、通信中継手段３００に向かって返信する。
「ｃ２」の応答情報は、通信中継手段３００にて受信されるとともに、情報記憶手段３２０に記憶される。
【００８７】
同様に、通信中継手段３００にて備える双方向制御手段３１０は、図１又は図３に示すように、主制御手段１００から送られる「ｄ１」又は「Ｅ１」の情報を受信すると、当該「ｄ１」又は「Ｅ１」の情報を電飾制御手段２４０に送信する。
このとき、通信中継手段３００にて備える情報記憶手段３２０は、主制御手段１００から送られてきて受信した「ｄ１」又は「Ｅ１」の情報を記憶する。
【００８８】
なお、主制御手段１００からの「ｄ１」の情報を、電飾制御手段２４０にそのまま送信したが、これに限らず、図４に示すように、通信中継手段３００において適宜の情報に生成し直して加工した「ｃ１’」の情報を電飾制御手段２４０に送信しても良い。
また、このとき、「ｄ１」又は「ｃ１’」の情報を、電飾制御手段２４０以外の手段にも、送信しても良い。
【００８９】
これに対し、電飾制御手段２４０は、通信中継手段３００にて記憶するとともに送信する「ｄ１」又は「ｃ１’」、又は「Ｅ１」の情報を受信すると、図１又は図３、又は図４に示すように、「ｄ２」の応答情報を、通信中継手段３００に向かって返信する。
「ｄ２」の応答情報は、通信中継手段３００にて受信されるとともに、情報記憶手段３２０に記憶される。
【００９０】
なお、通信中継手段３００にて複数の情報、例えば「ａ１」、「ｂ１」、「ｃ１」、「ｄ１」の４種類、若しくは「Ｅ１」の情報を受信した場合には、通信中継手段３００にて備える双方向制御手段３１０は、４種類の情報又は「Ｅ１」の情報を対応する手段に同期するように分配して送信するようにしても良い、或いは４種類の情報又は「Ｅ１」の情報を全ての手段に同時期のタイミングで送信しても良い。
【００９１】
【発明の効果】
本発明は、以上のように構成されているので、以下に記載されるような効果を奏する。
（請求項１）
請求項１に記載の発明によれば、遊技機に関し、次のような効果を奏する。
【００９２】
すなわち、請求項１に記載の発明によれば、第１制御手段と第２制御手段との間に通信中継手段を設け、第２制御手段と通信中継手段との間で双方向通信を行うことで、情報の総合的な管理を可能とし、もって情報伝達又は処理結果の整合性や信頼性を向上することができる。
このため、請求項１に記載の発明によれば、第１制御手段又は第２制御手段にて行う制御の負担を軽減することが可能である。
【００９３】
また、請求項１に記載の発明によれば、通信中継手段を、遊技機の機種交換時における遊技盤面の交換時又は分解時において、交換機種との汎用性を持った手段として構成することができ、再利用・コストダウンが可能である。
さらに、請求項１に記載の発明によれば、第１制御手段と通信中継手段との間の配線距離、及び第２制御手段と通信中継手段との間の配線距離を適正に設定することが可能である。
【００９４】
すなわち、第２制御手段と通信中継手段との間の配線距離に比較して、第１制御手段と通信中継手段との間の配線距離を短く設定することで、第１制御手段と通信中継手段との間の電気的な障害となるノイズや誤動作の抑制を図ることができる。これに対し、第１制御手段と通信中継手段との間の配線距離に比較して、第２制御手段と通信中継手段との間の配線距離が長くなるが、通信中継手段による第２制御手段の双方向制御により、ノイズ・チェック等が可能なので、第２制御手段と通信中継手段との間の通信の信頼性を担保することができる。
【００９５】
請求項１に記載の発明によれば、上記したようにして例えば遊技媒体の流動によって生ずる静電気などのノイズによる弊害を防止又は抑制することができるので、第２制御手段の配置の自由度を向上することができる。
（請求項２）
請求項２に記載の発明によれば、遊技機に関し、上記した請求項１に記載の発明の効果に加え、次のような効果を奏する。
【００９６】
すなわち、請求項２に記載の発明によれば、複数設けられた第２制御手段により行われる制御の時間的な処理速度の同期を図ることができる。
これに加えて、請求項２に記載の発明によれば、情報内容の整合性をとる同期をも図ることができる。
（請求項３）
請求項３に記載の発明によれば、遊技機に関し、上記した請求項１又は請求項２に記載の発明の効果に加え、次のような効果を奏する。
【００９７】
すなわち、請求項３に記載の発明によれば、例えば通信中継手段から第２制御手段に送信する情報を記憶し、第２制御手段から通信中継手段に送信されてくる応答情報を記憶して比較等することで、第２制御手段で行った制御に係る情報から誤動作となっていることを発見して、その結果を報知することができる。
（請求項４）
請求項４に記載の発明によれば、遊技機に関し、上記した請求項１〜３のいずれか１項に記載の発明の効果に加え、次のような効果を奏する。
【００９８】
すなわち、請求項４に記載の発明によれば、電断復帰時に第１制御手段や第２制御手段の電断前からの制御状態を継続するにあたって問題がないか否かを点検することができる。
（請求項５）
請求項５に記載の発明によれば、遊技機に関し、上記した請求項１〜４のいずれか１項に記載の発明の効果に加え、次のような効果を奏する。
【００９９】
すなわち、請求項５に記載の発明によれば、第１制御手段又は第２制御手段を電断前の制御状態から継続して処理できるように復帰するために、電断前の記憶情報の参照をできる。
（請求項６）
請求項６に記載の発明によれば、遊技機に関し、上記した請求項３〜５のいずれか１項に記載の発明の効果に加え、次のような効果を奏する。
【０１００】
すなわち、請求項６に記載の発明によれば、不正行為若しくは制御処理におけるミス等によるエラーの発生を検知することができる。
（請求項７）
請求項７に記載の発明によれば、遊技機に関し、上記した請求項３又は請求項６に記載の発明の効果に加え、次のような効果を奏する。
【０１０１】
すなわち、請求項７に記載の発明によれば、不正行為若しくは制御処理におけるミス等による誤動作の発見又はエラーの発生を検知した場合に、少なくとも第２制御手段への第１制御情報からの情報の送信を中止して動作の停止を行うことができる。
このため、誤動作又はエラーによって生じる不良処理の被害を未然に防止することができる。
【０１０２】
なお、第２制御手段の動作の停止にもとづいて第１制御手段の動作が停止されることも、請求項７に記載の発明に含まれるものである。
（請求項８）
請求項８に記載の発明によれば、プログラムに関し、次のような効果を奏する。
【０１０３】
すなわち、請求項８に記載の発明によれば、第１制御手段と第２制御手段との間に通信中継手段を設け、第２制御手段と通信中継手段との間で双方向通信を行うことで、情報の総合的な管理を可能とし、もって情報伝達又は処理結果の整合性や信頼性を向上することができる機能を有するプログラムにしたものである。
（請求項９）
請求項９に記載の発明によれば、記録媒体に関し、次のような効果を奏する。
【０１０４】
すなわち、請求項９に記載の発明によれば、第１制御手段と第２制御手段との間に通信中継手段を設け、第２制御手段と通信中継手段との間で双方向通信を行うことで、情報の総合的な管理を可能とし、もって情報伝達又は処理結果の整合性や信頼性を向上することができる機能を有するプログラムをコンピュータが読み取り可能な記録媒体に記録したものである。
【図面の簡単な説明】
【図１】遊技機の概略ブロック図である。
【図２】図１の通信中継手段の詳細を説明するためのブロック図である。
【図３】本発明の第２の実施の形態の一例を示し、同図は遊技機の概略ブロック図である。
【図４】本発明の第３の実施の形態の一例を示し、同図は遊技機の概略ブロック図である。
【符号の説明】
１０  遊技機                        ２０  入賞球検知手段
３０  特定入賞口の駆動源            ４０  特別入賞口の駆動源
１００  主制御手段（第１制御手段）    ２１０  表示制御手段
２１１  可変表示装置                  ２２０  遊技利益付与制御手段
２２１  遊技利益付与装置            ２３０  音声制御手段
２３１  スピーカ                    ２４０  電飾制御手段
２４１  電飾装置                    ２００  副制御手段（第２制御手段）
３００  通信中継手段                ３１０  双方向制御手段
３２０  情報記憶手段                ３３０  同期手段
３４０  監視手段                    ３４１  エラー検知手段
３４２  動作停止手段                ３５０  誤動作報知手段
３６０  点検手段                    ３７０  復帰手段
４００  バックアップ手段
【図１】
2004344424.tif 000003
【図２】
2004344424.tif 000004
【図３】
2004344424.tif 000005
【図４】
2004344424.tif 000006